(57)【要約】【課題】色安定性が向上し、色変動の少ない画像形成ができる電子写真画像出力装置とする。【解決手段】入力された画像データに対し中間調画像を表現する万線スクリーンを有し、万線スクリーンが下記の条件（Ａ）〜（Ｄ）を満たす。  （Ａ）中間調画像を表現するための万線スクリーンであり、  （Ｂ）モアレの発生を抑制するため、２色間のスクリーン角を一定値以上離した万線スクリーンであり、  （Ｃ）各色スクリーン角で０度を用いない万線スクリーンであり、  （Ｄ）前記（Ａ）〜（Ｃ）の条件で線数を選んだときに決まる各色のスクリーン角で、Ｙ色がＹ、Ｍ、Ｃの３色の中で最も９０度に近いスクリーン角とする万線スクリーンである。【選択図】図７
2014146888.tif 000002
【特許請求の範囲】
【請求項１】
入力された画像データに対し、中間調画像を表現する万線スクリーンを有する電子写真画像出力装置であって、前記万線スクリーンが下記の条件（Ａ）〜（Ｄ）を満たすことを特徴とする電子写真画像出力装置。
（Ａ）中間調画像を表現するための万線スクリーンであり、
（Ｂ）モアレの発生を抑制するため、２色間のスクリーン角を一定値以上離した万線スクリーンであり、
（Ｃ）各色スクリーン角で０度を用いない万線スクリーンであり、
（Ｄ）前記（Ａ）〜（Ｃ）の条件で線数を選んだときに決まる各色のスクリーン角で、Ｙ色がＹ、Ｍ、Ｃの３色の中で最も９０度に近いスクリーン角とする万線スクリーンである。
【請求項２】
入力された画像データに対し、中間調画像を表現する万線スクリーンを有する電子写真画像出力装置であって、
Ｙ色がＹ、Ｍ、Ｃの３色の中で最も９０度に近いスクリーン角とする万線スクリーンを有する、
ことを特徴とする電子写真画像出力装置。
【請求項３】
万線スクリーンがＹのスクリーン角をおよそ７２度以上とするものであることを特徴とする請求項２に記載の電子写真画像出力装置。
【請求項４】
Ｋのスクリーン角とＹのスクリーン角を９０度方向に近い側から２つのスクリーンのどちからにそれぞれ設定する万線スクリーンを有することを特徴とする請求項２に記載の電子写真画像出力装置。
【請求項５】
４つのスクリーン角のうち、Ｙのスクリーン角とＫのスクリーン角を割り当てた残りの０度に近い２つのスクリーン角に対して、ＲとＧの色変動がＲのほうが大きい場合はＭのスクリーン角を大きいほうに、Ｇの色変動のほうが大きい場合はＣのスクリーン角を大きいほうに割り当てたことを特徴とする請求項２に記載の電子写真画像出力装置。
【発明の詳細な説明】
【技術分野】
【０００１】
本発明は、万線スクリーンを有する電子写真画像出力装置に関する。
【背景技術】
【０００２】
一般的に、電子写真の画像はオフセット印刷に比べ色安定性が悪いことから、さらなる色安定性の向上が求められている。電子写真の特徴の一つに画像処理があり、画像処理の一つとして万線処理が存在する。万線はスクリーン線数やスクリーン角からその特性が決まるため、モアレやジャギー、バンディング等様々な画質劣化要因に配慮しながら各色のスクリーン線数とスクリーン角が設定されている。
【０００３】
従来までのスクリーンでは画質劣化が生じても見た目に判別されにくいＹ色（イエロー）のスクリーン角（あるいはスクリーン角度）を不安定な０度付近に割り当てることが多かった。しかしながらスクリーン角が０度付近の万線はスキャベンジ（スキャベンジについては後述する）等によりＹトナー付着像が乱れ、Ｙ色だけではなくその２次色であるＲ色（レッド）、Ｇ色（グリーン）の色変動が大きくなるという問題が見られていた。
【０００４】
特許文献１では、ＹＣＭＫ４色すべてにおいて万線ディザを使用し、従来とは異なるディザマトリクスの組み合わせによって色モアレが良好な画像を出力するため、Ｙ色のスクリーン線数を２００．０（ｌｐｉ）、スクリーン角度を０．０（度）、Ｃ色のスクリーン線数を１８０．３（ｌｐｉ）、スクリーン角度を１４６．３（度）、Ｍ色のスクリーン線数を１８０．３（ｌｐｉ）、スクリーン角度を３３．７（度）、Ｋ色のスクリーン線数を２００．０（ｌｐｉ）、スクリーン角度を９０．０（度）に設定する技術を提案している。各色のスクリーン角を最適化することで画質を向上（モアレの発生の抑制やバンディングによる影響の最小化）させようとしているが、スキャベンジによるトナー付着像の乱れによる色変動については考慮されていない。
【発明の概要】
【発明が解決しようとする課題】
【０００５】
本発明は、バンディングやモアレだけでなく、スキャベンジによる影響も減少させるスクリーン角を各色設定することで、全色の色変動を抑えることのできる万線スクリーンを有する電子写真画像出力装置を提供することを目的とする。
【課題を解決するための手段】
【０００６】
本発明に係る電子写真画像出力装置は、
入力された画像データに対し、中間調画像を表現する万線スクリーンを有する電子写真画像出力装置であって、前記万線スクリーンが下記の条件（Ａ）〜（Ｄ）を満たすことを特徴とするものであり、
（Ａ）中間調画像を表現するための万線スクリーンであり、
（Ｂ）モアレの発生を抑制するため、２色間のスクリーン角を一定値以上離した万線スクリーンであり、
（Ｃ）各色スクリーン角で０度を用いない万線スクリーンであり、
（Ｄ）前記（Ａ）〜（Ｃ）の条件で線数を選んだときに決まる各色のスクリーン角で、Ｙ色がＹ、Ｍ、Ｃの３色の中で最も９０度に近いスクリーン角とする万線スクリーンである、ことを特徴とする。
【発明の効果】
【０００７】
本発明によれば、モアレやバンディングの発生を考慮しつつ、スキャベンジによるトナー付着像の乱れを抑制し、Ｙトナー付着像を安定させつつ、全色の色変動を改善し、色安定性向上をもたらし、色変動の少ない画像の形成を行うことができる。
【図面の簡単な説明】
【０００８】
【図１】６００ｄｐｉ  ２ｂｉｔ  デフォルトスクリーン
【図２】６００ｄｐｉ  ４ｂｉｔデフォルトスクリーン
【図３】一次転写時の逆転写によるトナー付着像の乱れ
【図４】２次転写時の転写残によるトナー付着像の乱れ
【図５】６００ｄｐｉ  ２ｂｉｔ用スクリーンの変更案
【図６】６００ｄｐｉ  ４ｂｉｔ用スクリーンの変更案
【図７】２ｂｉｔ用デフォルトスクリーンと２ｂｉｔ用カスタムスクリーンでのトナー付着像を示す図（Ａ）と、６００ｄｐｉ  ２ｂｉｔ用カスタムスクリーンの改善効果を示す図（Ｂ）
【図８】ｂｉｔ用デフォルトスクリーンと４ｂｉｔ用カスタムスクリーンでのトナー付着像を示す図
【図９】６００ｄｐｉ  ４ｂｉｔ用カスタムスクリーンの改善効果を示す図
【図１０】画像形成装置の構成、動作例を示すブロック図
【発明を実施するための形態】
【０００９】
以下、本発明の実施形態を図面を参照して説明する。なお、以下では色について表記するときは単にＹ、Ｃ、Ｍ、Ｋ等のように記載する。
【００１０】
まずは万線スクリーンを設計する上で注意すべき画質劣化要因であるバンディング、モアレ、スキャベンジについて説明する。
＜バンディング＞
感光体ドラムの駆動速度のムラや、書き込み装置の振動原因で現れる副走査方向の濃度ムラの中で濃度変動の周期が０．５〜１．０ｍｍと長周期のものをバンディングと呼ぶ。この周期は直接知覚されるような空間周波数に相当するため、バンディングの発生は著しい画質劣化の要因となる。また、スクリーン角（用紙搬送方向に対して９０度をスクリーン角０度と規定）を０度にすると知覚されやすいという特徴を持つ。しかし、実際はＹ色のスクリーン角を０度付近にしたスクリーンを搭載する機種が多い。その理由として、Ｙ色はＭ、Ｃ、Ｋ色に比べバンディングが知覚されにくい、という特徴を持つことが挙げられる。
＜モアレ＞
規則正しい繰り返し模様を複数重ね合わせたときに、それらの周期のずれにより視覚的に発生する縞模様のことであり、こちらもバンディング同様で知覚されやすく、著しい画質劣化要因の一つである。各色のスクリーン角が近いときに発生しやすいことが確認されており、ＹとＣ、ＹとＭの間では発生しにくいが、ＹとＫの間で発生しやすい、という特徴を持つ
＜スキャベンジ＞
電子写真では、磁性キャリアと非磁性トナーからなる２成分現像剤を内部に磁石を固定配設した現像スリーブ上に磁気的に担持させ、現像スリーブの回転により感光ドラムと現像スリーブとの間の現像領域を通過させ、感光ドラム上の静電潜像を現像し可視化する。いわゆる２成分磁気ブラシ現像方法である。そして、この２成分磁気ブラシ現像形式を用いた装置に、感光ドラムの回転方向にそって上流側と下流側に２本の現像スリーブを備えさせ、上流側の現像スリーブを用いた第１の現像工程と、下流側の現像スリーブを用いた第２の現像工程とにより、感光ドラム上の同一の静電潜像を重ねて現像して、現像性を向上させ、画像後端部の白抜け防止等を図った、多段現像方式を採用した画像形成装置が提案されている。しかしながら、上述のような現像方法を用いると、上流側の現像スリーブによって現像された感光ドラム上のトナー像のうち、ハーフトーン部のようなトナーの少ない部分が、下流側の現像スリーブによって再び現像される際に、いわゆるキャリアによる画像のスキャベンジ現象、すなわちキャリアが機械的あるいは静電気的に画像を掻きとって、画像を乱す現象が生じるという問題点がある（特許文献２参照）。また、スキャベンジは現像時にキャリアが擦る方向と直角にあたる横線（スクリーン角０度）には過剰なスキャベンジ力が働き、線が途切れ途切れになりやすいという特徴を持つ。
【００１１】
以上のことから、バンディング、スキャベンジによる画質劣化とモアレの発生を防ぐには以下の点を踏まえた上で各色のスクリーン角を設計する必要がある。
（１）バンディングを防ぐために各色、スクリーン角を０度付近もしくは９０度付近を使用しない
（２）スキャベンジによる色変動を防ぐためスクリーン角を０度付近にしない
（３）モアレ発生を防ぐため、各色のスクリーン角を同じような大きさにしない（特にＹ色とＫ色は接近するとモアレが発生しやすいため、注意を要する）
【００１２】
＜実施形態１＞
本発明の実施形態１を説明する。本実施形態は、バンディング、スキャベンジによる画質劣化とモアレの発生を防ぐ機能を有したスクリーン角で形成された万線スクリーンに係るものであり、以下の特徴を有する。
（１）バンディングを防ぐために各色、スクリーン角が０度付近を使用しない
（２）スキャベンジによる色変動を防ぐためスクリーン角を０度付近にしない
（３）モアレ発生を防ぐため、各色のスクリーン角を同じような大きさにしない（特にＹ色とＫ色は接近するとモアレが発生しやすいため、注意する）
【００１３】
この特徴について、以下に図面を用いて説明する。
本願発明の電子写真画像出力装置は、入力画像データに対して、ディザテーブルを用いて画像処理を行い、最終的に出力する画像データを生成する。図１０に画像形成装置の構成、動作例をブロック図で示す。図中１１は画像処理部、１２はディザ処理部、１３はディザテーブル、１４はパルス幅変調（ＰＭＷ）器、１５はレーザである。そして、以下のステップでの処理を行う。各ステップを実行する箇所を図中に符号１〜５で示してある。
（１）画像処理部１１に画像情報（入力データ）の入力を行う。
（２）画像処理部１１で画像処理を行う。
（３）ディザ処理部１２でディザテーブル１３に格納されているディザパターンを参照し、ディザ処理を行う
（４）ディザ処理を施されたデータの変換を行う。
（５）変換されたデータによりレーザを用いて図示しない感光体の表面に潜像を作る。
なお、ステップ４でのデータ変換には、例えばレーザプリンタではＰＭＷ（パルス幅変調方式）を使用する。したがってパルス幅変調器１４を用いるものとして図に記載しているが、その他の変調方式を用いてもよい。
そして、図示はしていないが画像を出力するために以下の処理を実行する。
（６）感光体上の潜像にトナーを付着させる。
（７）中間転写体にトナーを付着させる。
（８）紙にトナーを付着させる。
（９）トナーを定着させる
これらは周知であるので図示及び説明を省略する。
【００１４】
ところで万線スクリーンのスクリーン線数とスクリーン角の取りうる組み合わせは無数にある。そのため、すべての組み合わせを検証することは困難である。そこで、最も不安定なスクリーン角０度の万線スクリーンをＹに使用したスクリーンに対して本願発明の実施による効果を説明する。モデルとして用いるのは以下の２種類の万線スクリーン（以後デフォルトスクリーンと呼ぶ）である。デフォルトスクリーンは６００ｄｐｉ  ２ｂｉｔ出力モードと６００ｄｐｉ  ４ｂｉｔ出力モードで２種類存在し（図１、図２）、それぞれ以下のスクリーン線数とスクリーン角から構成されている
【００１５】
＜図１：６００ｄｐｉ  ２ｂｉｔデフォルトスクリーン＞
Ｙ：０度
Ｍ：２７度
Ｃ：６３度
Ｋ：−６３度
【００１６】
＜図２：６００ｄｐｉ  ４ｂｉｔデフォルトスクリーン＞
Ｙ：０度
Ｍ：−３４度
Ｃ：３４度
Ｋ：−７２度
【００１７】
ここで、一般的な４連タンデム型の中間転写ベルトを備える電子写真を用いて調査した色が変動する要因について説明する。感光ドラム（図中、符号ＯＰＣで示した）から中間転写ベルトＩＴＢへの転写工程で以下の様な画像劣化が発生することを確認した。
【００１８】
＜一次転写＞
一度感光ドラムＯＰＣから中間転写ベルトＩＴＢに転写されたトナーが中間転写ベルトＩＴＢの回転方向の下流側のステーションにある感光ドラムＯＰＣと中間転写ベルトＩＴＢとの接触部を通過する際、一部が中間転写ベルトＩＴＢから感光ドラムＯＰＣに付着する。いわゆる逆転写が起きる。このため、中間転写ベルトＩＴＢの回転方向で上流側のステーションにおいて中間転写ベルトＩＴＢに転写されたトナー像ほど逆転写により乱れを受ける回数が多い。最上流色であるＹならば逆転写回数が計３回となり、トナー付着面積のばらつきが大きく、付着量のばらつきも多いことが分かった。このことは、電子写真のスクリーンがトナー付着面積により色を変えており、中間転写ベルトＩＴＢ回転方向に対して上流の色ほど色変動が大きくなりやすいことを表している。
【００１９】
＜２次転写＞
図３は、一次転写時の逆転写によるトナー付着像の乱れについて示す図である。また図４は、２次転写時の転写残によるトナー付着像の乱れを示す図である。
２次転写については一般的に知られているが、中間転写ベルトＩＴＢ上に２色以上のトナーを重ねて混合色を出す場合、先に中間転写ベルトＩＴＢ側に転写された上流の色のトナーは一部が用紙Ｐに転写されずに中間転写ベルトＩＴＢに残り、色変動の要因となりやすい。例えば、２色を重ねる２次色の場合、ＹトナーとＭトナーを重ねて表現するレッドＲのＹ、ＹトナーとＣトナーを重ねて表現するグリーンＧのＹ、ＭトナーとＣトナーを重ねて表現するＢのＭがベルト側の色となり得る。
【００２０】
一般的に４連タンデム型の電子写真の最上流にはＹが用いられることが多い。そのためＹは、上述のような１次転写での逆転写や２次転写での色重ね時の中間転写ベルトＩＴＢへの転写残りにより、最も上流のＹが他色に比べてその色変動が起こりやすい。よって、４連タンデム型の電子写真の最大色変動を小さくするためには、最も色変動を起こしやすい最上流であるＹとその２次色であるＲ、Ｇの色変動を抑えることが重要である。
【００２１】
バンディング、スキャベンジによる画質劣化とモアレの発生を防ぐために各色のスクリーン角を設計する際に考慮する必要があるとした前記３つの条件に、上述の条件を加えた以下の４条件満たすことで、色変動を抑える機能を有する万線スクリーンを作成することができる。
（１）バンディングを防ぐために各色、スクリーン角を０度もしくは９０度を使用しない。
（２）スキャベンジによる色変動を防ぐためスクリーン角を０度付近にしない。
（３）モアレ発生を防ぐため、各色のスクリーン角を同じような大きさにしない。特にＹとＫは接近するとモアレが発生しやすいため、注意する。
（４）ＹあるいはＲ、Ｇの色変動を抑えるため、最上流色であるＹはトナー付着像の安定に保つことのできる９０度付近の角度を割り当てる。
【００２２】
上記の条件を満たすスクリーンの一例として、２ｂｉｔ、４ｂｉｔそれぞれのスクリーンを以下のスクリーン角とした色の安定性を確認した。
＜２ｂｉｔ  ｃｕｓｔｏｍスクリーン＞
図５は、６００ｄｐｉ  ２ｂｉｔ用スクリーンの変更案を示す図である。
Ｙ：０度→−２７度
Ｍ：２７度
Ｃ：６３度
Ｋ：−６３度
Ｙのスクリーン角を９０度方向に近づけたいが、Ｋの角度が−６３度であるため、Ｙを単純に９０度付近にすることでＹとＫの間でモアレが発生するおそれがある。そこでＭ版を反転するだけで作成することができるという利点も併せ待つ−２７度をＹスクリーン角に設定する。
【００２３】
＜４ｂｉｔ  ｃｕｓｔｏｍスクリーン＞
図６は、６００ｄｐｉ  ４ｂｉｔ用スクリーンの変更案を示す図である。
Ｙ：０度→−７２度
Ｍ：−３４度
Ｃ：３４度
Ｋ：７２度
Ｋの角度が７２度であるため、Ｙのスクリーン角を９０度付近に設定することができる。そこで、Ｋ版の反転が利用可能な−７２度をＹスクリーン角に設定する。
【００２４】
図７は、上述した実施形態の効果を確認するために用いた６００ｄｐｉ  ２ｂｉｔの２つのスクリーンでのトナー付着像とその効果について示す図である。なお紙種：ＰＯＤグロスコート紙、画質：６００ｄｐｉ  ２ｂｉｔモード、評価項目：頁内平均基準頁内色安定性ΔＥ（ＡＶＥ＋３σ）である。
【００２５】
図７（Ａ）は６００ｄｐｉ  ２ｂｉｔモードでのデフォルトスクリーン、カスタムスクリーン（本実施形態の効果確認スクリーン）におけるそれぞれ入力面積率７０％でのＹ、Ｒのトナー付着像を示す。図７（Ａ）から、デフォルトスクリーンのＹはスキャベンジの影響により線が途切れ途切れになっており、トナー付着像に乱れが生じていることが確認できる。その一方で、ＲにおけるＹの付着量はスキャベンジと逆転写の影響をともに受けたためと考えられ、Ｙ単色時に比べ少なく、結果としてｂ＊のばらつきが抑えられ、Ｒの色変動は少ない。
【００２６】
一方、カスタムスクリーンのＹはスクリーン角変更によりスキャベンジの影響が減少することで途切れがあまり見られず、トナー付着像の乱れがデフォルトスクリーンのＹに比べ少ない。しかし、Ｒを見てみるとしっかりとＹが付着している部分としていない部分に分かれ、色変動が生じていることが確認できる。
【００２７】
この結果は図７（Ｂ）に示す各スクリーンの頁内色安定性からも確認できる。縦軸は頁内平均基準頁内色差ΔＥの平均値＋３σである。
＜デフォルトスクリーン＞
Ｙ：線の途切れにより色変動が大きくなっていることから、ΔＥ（ＡＶＥ＋３σ）が大きい。
Ｒ：Ｙの付着量変動が小さいため、ΔＥ（ＡＶＥ＋３σ）が小さい。
＜カスタムスクリーン＞
Ｙ：線の途切れの解消によりＹの色変動が小さくなっており、ΔＥ（ＡＶＥ＋３σ）が小さい。
Ｒ：Ｙの付着量変動が大きいため、ｂ＊が安定せず、色変動が大きくなっており、ΔＥ（ＡＶＥ＋３σ）も大きい。
以上のことから、Ｙのスクリーン角を０度から９０度方向に変更することでＹの色変動を改善することができるが、その角度によってはＲの色変動が悪化することが確認できる。
【００２８】
また前記の結果から、２次色Ｒと一次色Ｙ、Ｍについて、一次色Ｙの色変動が改善しても（Ｍは変動なし）、２次色Ｒの色変動が改善しない（むしろ悪化する）ケースが存在することを確認できた。なお従来は、一次色の色変動が改善されれば、２次色の色変動も改善すると考えられていた。
【００２９】
＜実施形態２＞
図８、図９は、本発明の実施形態に係る６００ｄｐｉ  ４ｂｉｔ用カスタムスクリーンの効果について説明する図ある。図８は、４ｂｉｔ用デフォルトスクリーンと４ｂｉｔ用カスタムスクリーンでのトナー付着像を示す。図９は、６００ｄｐｉ  ４ｂｉｔ用カスタムスクリーンの改善効果を示す。
【００３０】
すなわち図８は６００ｄｐｉ  ４ｂｉｔモードでのデフォルトスクリーン、カスタムスクリーンそれぞれ入力面積率７０％でのＹ、Ｒのトナー付着像を示す。２ｂｉｔモードのときと異なるのはカスタムスクリーンのＲのトナー付着像である。２ｂｉｔカスタムスクリーンでのＲはＹの付着量ばらつきからｂ＊が安定せず、色変動が大きい。しかし、４ｂｉｔカスタムスクリーンではＹの付着量ばらつきが抑えられ、結果、Ｒの色変動を抑えることに成功している。この結果は図９に示す各スクリーンの色変動の値に反映されている。図７の場合と同様に、こちらの縦軸も頁内平均基準頁内色差ΔＥの平均値＋３σである。
【００３１】
＜デフォルトスクリーン＞
Ｙ：線の途切れにより、色変動が大きくなっているため、ΔＥ（ＡＶＥ＋３σ）が大きい。
Ｒ：Ｙの付着量変動が小さいため、色変動が小さくなっており、ΔＥ（ＡＶＥ＋３σ）が小さい。
＜カスタムスクリーン＞
Ｙ：線の途切れの解消により、色変動が小さくなっているため、ΔＥ（ＡＶＥ＋３σ）が小さい。
Ｒ：Ｙのトナー付着像の現像がしっかりしているためＲでのＹの付着量変動が抑えられ、色変動が抑えられ、ΔＥ（ＡＶＥ＋３σ）が小さい。
【００３２】
以上のことから、６００ｄｐｉ  ２ｂｉｔ、４ｂｉｔ  カスタムスクリーンを検証することで以下の効果が確認できる。
（１）Ｙスクリーン角を０度から９０度方向へ変更することでＹ、Ｇの色変動を改善することができる。
（２）Ｙの角度しだいではＲの色変動が悪化する。
（３）Ｙの角度が９０度に近いほうがＲの色変動の悪化を抑えられる。
【００３３】
なお、上述したような、１次転写や２次転写のトナー付着像の変動を最も受けやすい再上流色に対して、最も安定なスクリーン角（より９０度に近いスクリーン角）を割り付けることにより、１次色の最大の色変動及び２次色の色変動を小さくできる。
【００３４】
すなわち本発明の実施形態に係る電子写真画像出力装置では、上述の条件で線数を選んだときに決まる各色のスクリーン角で、ＹがＹ、Ｍ、Ｃ３色の中で最も９０度に近いスクリーン角とする万線スクリーンを有する。そのため、Ｙトナー付着像を安定させつつ、全色の色変動を改善すれば、色安定性向上をもたらすことができる。
【００３５】
また、ＹがＹ、Ｍ、Ｃ３色の中で最も９０度に近いスクリーン角である万線スクリーンを有することで、スクリーン角を９０度付近にすることで、スキャベンジによって発生する線の途切れによる色変動を抑えることができる。
【００３６】
また、Ｙスクリーン角をおよそ７２度以上とする万線スクリーンを有することで、Ｙスクリーン角がおよそ７２度以下であるとＲの色変動が悪化するため、Ｙスクリーン角をおよそ７２度以上にすることでＲの色変動を悪化させず、Ｙの色変動を抑えることができる
【００３７】
また、Ｋスクリーン角とＹスクリーン角を９０度方向に近い側から２つのスクリーンのどちからにそれぞれ設定する万線スクリーンを有することで、画像の乱れが４色中最も知覚しやすいＫの色変動を抑え得る。
【００３８】
さらに、４つのスクリーン角のうち、ＹとＫを割り当てた残りの０度に近い２つのスクリーン角に対して、ＲとＧの色変動がＲのほうが大きい場合はＭのスクリーン角を大きいほうに、Ｇのほうが大きいときはＣのスクリーン角を大きいほうに割り当てる。このことで、モアレを防ぐためのＭとＣをＫとＹに対して０度に近いスクリーン角を設定する必要がある。しかし、Ｙの場合と同様にその２次色に与える影響が小さくなるようにＭとＣのスクリーン角を割り当てて全色の色変動を抑え得る。
【００３９】
本発明は以上説明した実施形態に限定されるものではなく、多くの変形が本発明の技術的思想内で当分野において通常の知識を有する者により可能である。
【符号の説明】
【００４０】
１１      ：画像処理部
１２      ：ディザ処理部
１３      ：ディザテーブル
１４      ：パルス幅変調器
ＩＴＢ    ：中間転写ベルト
ＯＰＣ    ：感光ドラム
Ｐ        ：用紙
【先行技術文献】
【特許文献】
【００４１】
【特許文献１】特開２００７−１５６３９４号公報
【特許文献２】特開平１０‐１７１２５２号公報
【図１】
2014146888.tif 000003
【図２】
2014146888.tif 000004
【図３】
2014146888.tif 000005
【図４】
2014146888.tif 000006
【図５】
2014146888.tif 000007
【図６】
2014146888.tif 000008
【図７】
2014146888.tif 000009
【図８】
2014146888.tif 000010
【図９】
2014146888.tif 000011
【図１０】
2014146888.tif 000012